(57)【要約】【課題】放送番組の放送関連情報を、簡単に端末側からサーバ装置にアクセスして取得できるようにする。【解決手段】放送局Ａは、放送中の放送関連情報をサーバ装置Ｃに登録する。サーバ装置Ｃは、放送関連情報に対し、放送チャンネル番号、端末Ｂの操作ボタンの割り当てコード番号に対応付けておく。通信端末装置Ｂは、受信中の放送番組の双方向サービスを受ける場合に、サーバ装置Ｃのアクセスアドレスのオプション部に、受信中のチャンネル番号、所定のボタン操作により入力されるコード番号を付加してリンクアドレスを生成し、サーバアクセス時に送出する。サーバ装置Ｃは、端末アクセス時に送られてくるリンクアドレスからチャンネル番号、コード番号を判別し、対応する提供情報を抽出して、アクセス元の端末装置Ｂに送る。【選択図】      図１
2004193681.tif 000002
【特許請求の範囲】
【請求項１】
ネットワークを通じて通信端末装置からサーバ装置をアクセス可能とし、前記サーバ装置と通信端末装置との間で、所定の放送チャンネルでの放送番組の内容に連動した情報の送受を行う双方向サービス提供システムであって、
前記通信端末装置は、チャンネル番号の選択により前記放送チャンネルを選局し、標準装備のハードウェアまたはソフトウェアによる実装ボタンの操作により当該実装ボタンに割り当てられているコード番号を入力し、前記選択されたチャンネル番号及び前記入力されたボタンコード番号から前記サーバ装置内のリンクアドレスを生成し、前記サーバ装置にアクセスして前記リンクアドレスを通知し、当該サーバ装置からの提供情報を受け取って提示するものとし、
前記サーバ装置は、前記放送番組の内容に連動した前記通信端末装置への提供情報が与えられ、それぞれ放送チャンネルのチャンネル番号及び前記通信端末装置の実装ボタンに割り当てられるボタンコード番号に対応付けてデータベースに登録し、前記通信端末装置からのアクセスに応答し、前記通信端末装置から通知されるリンクアドレスを受け取って当該リンクアドレスから前記チャンネル番号及びボタンコード番号を判別し、この判別された番号に対応する提供情報を前記データベースから読み出してアクセス元の通信端末装置に送るものとし、
前記通信端末装置側で、前記放送番組内で案内される指示または予め決められた操作手順に従って前記実装ボタンを操作することで、自動的に前記サーバ装置にアクセスして放送番組の内容に連動した情報を通知または要求し、アクセス先のサーバ装置から要求した情報の提供を受けられることを特徴とする双方向サービス提供システム。
【請求項２】
前記通信端末装置は、放送チャンネル情報及び放送時間情報を付加して前記放送番組の記録再生を行い、記録された放送番組の再生中に前記実装ボタンが操作された場合に、前記放送チャンネル情報及び放送時間情報からチャンネル番号及び放送時間コード番号を取得し、前記ボタンコード番号と合わせて前記リンクアドレスを生成し、
前記サーバ装置は、前記データベースに登録される提供情報に放送時間コード番号を対応付けておき、前記通信端末装置からのリンクアドレスから前記チャンネル番号及びボタンコード番号と共に放送時間コード番号を判別し、この判別された番号に対応する提供情報を前記提供情報データベースから読み出すことを特徴とする請求項１記載の双方向サービス提供システム。
【請求項３】
ネットワークを通じて通信端末装置からサーバ装置をアクセス可能とし、前記サーバ装置と通信端末装置との間で、所定の放送チャンネルでの放送番組の内容に連動した情報の送受を行う双方向サービス提供システムに用いられ、
チャンネル番号の選択により前記放送チャンネルを選局する選局手段と、
標準装備のハードウェアまたはソフトウェアによる実装ボタンの操作により当該実装ボタンに割り当てられているコード番号を入力する入力手段と、
前記選局手段で選択されたチャンネル番号及び前記入力手段で入力されたボタンコード番号から前記サーバ装置内のリンクアドレスを生成するリンクアドレス生成手段と、
前記サーバ装置にアクセスして前記リンクアドレスを通知し、当該サーバ装置からの提供情報を受け取る通信手段と、
前記サーバ装置からの提供情報を提示する提示手段とを具備することを特徴とする通信端末装置。
【請求項４】
さらに、前記選局手段で選局された放送チャンネルの受信信号から放送番組を復調再生して前記提示手段に提示する受信処理手段を備え、
前記提示手段は、前記復調再生された放送番組と前記サーバ装置からの提供情報とを所定の領域に同時に表示する、または選択的に切り替えて表示することを特徴とする請求項３記載の通信端末装置。
【請求項５】
前記受信端末装置は、前記放送番組に当該番組が双方向サービスを実施していることを示す情報が付加されている場合にはその旨を放送番組と共に提示することを特徴とする請求項４記載の通信端末装置。
【請求項６】
さらに、放送チャンネル情報及び放送時間情報を付加して前記放送番組の記録再生を行う記録再生手段を備え、
前記リンクアドレス生成手段は、前記記録再生手段の放送番組再生中に前記実装ボタンが操作された場合に、前記放送チャンネル情報及び放送時間情報からチャンネル番号及び放送時間コード番号を取得し、前記ボタンコード番号と合わせて前記リンクアドレスを生成することを特徴とする請求項３記載の通信端末装置。
【請求項７】
さらに、前記サーバ装置に予め双方向サービスを受けるための個別情報を送ることで設定登録を受ける個別情報通知手段を備えることを特徴とする請求項３記載の通信端末装置。
【請求項８】
前記個別情報は、端末情報、ユーザ個人情報、受信地域情報のいずれかが含まれることを特徴とする請求項７記載の通信端末装置。
【請求項９】
前記チャンネル番号が地域によって異なるとき、前記リンクアドレス生成手段は、前記チャンネル番号を受信地域に応じて変更して取り扱うことを特徴とする請求項３記載の通信端末装置。
【請求項１０】
前記サーバ装置から提供情報に所定時刻に自動的に提示するスクリプトが付加されているとき、
さらに、前記サーバ装置からの提供情報を蓄積する提供情報蓄積手段と、前記スクリプトを実行して前記提供情報蓄積手段から提供情報を読み出し提示させるスクリプト実行手段とを備えることを特徴とする請求項３記載の通信端末装置。
【請求項１１】
さらに、前記サーバ装置からの提供情報を蓄積する提供情報蓄積手段と、
前記サーバ装置から既提供情報を自動提示させるスクリプトを受けて、当該スクリプトを実行して前記提供情報蓄積手段から提供情報を読み出し提示させるスクリプト実行手段とを備えることを特徴とする請求項３記載の通信端末装置。
【請求項１２】
前記入力手段は、前記実装ボタンとして、少なくとも応答ボタン、イエス／ノー選択ボタン、色別指示ボタン、テンキーボタンのいずれかを備えることを特徴とする請求項３記載の通信端末装置。
【請求項１３】
前記リンクアドレス生成手段は、前記実装ボタンの操作に応じて順次得られるコード情報を前記リンクアドレスに追加設定することで情報通知または要求のオプションを追加することを特徴とする請求項３記載の通信端末装置。
【請求項１４】
前記放送チャンネルを選局し、受信信号を復調再生することで前記放送番組を提示する放送受信機に対して、選局チャンネルを指示するリモートコントロール機能を持つ携帯電話機を用いることを特徴とする請求項３記載の通信端末装置。
【請求項１５】
さらに、前記放送チャンネル別に前記サーバ装置をアクセスするためのアドレス情報を格納するアドレス情報格納手段を備え、
前記リンクアドレス生成手段は、前記アドレス情報格納手段からアクセス先のサーバ装置のアドレスを読み出し、このアドレスを元にリンクアドレスを生成することを特徴とする請求項３記載の通信端末装置。
【請求項１６】
前記アドレス情報格納手段は、アドレス情報を前記サーバ装置から取得して書き換え可能であることを特徴とする請求項１５記載の通信端末装置。
【請求項１７】
ネットワークを通じて通信端末装置からサーバ装置をアクセス可能とし、前記サーバ装置と通信端末装置との間で、所定の放送チャンネルでの放送番組の内容に連動した情報の送受を行う双方向サービス提供システムに用いられ、
前記放送番組の内容に連動した前記通信端末装置への提供情報が与えられ、それぞれ放送チャンネルのチャンネル番号及び前記通信端末装置の実装ボタンに割り当てられるボタンコード番号に対応付けて登録される提供情報データベースと、
前記通信端末装置からのアクセスに応答する通信手段と、
この通信手段を通じて、前記通信端末装置から通知されるリンクアドレスを受け取って当該リンクアドレスから前記チャンネル番号及びボタンコード番号を判別し、この判別された番号に対応する提供情報を前記提供情報データベースから読み出してアクセス元の通信端末装置に送る情報処理手段とを具備することを特徴とするサーバ装置。
【請求項１８】
前記提供情報データベースに前記提供情報を登録する際に、さらに放送時間コード番号を対応付けておき、
前記情報処理手段は、前記通信端末装置から送られるリンクアドレスから前記放送時間コード番号を判別し、この判別結果に基づいて前記データベースから該当する提供情報を読み出してアクセス元の通信端末装置に送ることを特徴とする請求項１７記載のサーバ装置。
【請求項１９】
さらに、前記通信端末装置から通知され、予め双方向サービスを受けるための個別情報が登録される個別情報データベースを備え、
前記情報処理手段は、前記通信端末装置からのアクセス時に前記個別情報データベースを参照し、登録された個別情報に応じて返送する提供情報の選択を行うことを特徴とする請求項１７記載のサーバ装置。
【請求項２０】
前記個別情報は、端末情報、ユーザ個人情報、受信地域情報のいずれかが含まれることを特徴とする請求項１９記載のサーバ装置。
【請求項２１】
前記提供情報データベースに登録される提供情報には、地域共通情報とローカル情報があり、
前記情報処理手段は、前記個別情報に受信地域情報が含まれているとき、この受信地域情報に基づいて前記地域共通情報とローカル情報とを選択的に送信することを特徴とする請求項１９記載のサーバ装置。
【請求項２２】
前記情報処理手段は、前記通信端末装置へ提供情報を送信する際に、所定時刻に自動的に起動して提供情報を提示させるスクリプトを付加することを特徴とする請求項１７記載のサーバ装置。
【請求項２３】
前記情報処理手段は、前記通信端末装置へ提供情報を送信した後、先に送信した提供情報を自動的に提示させるスクリプトを所定時刻に送信することを特徴とする請求項１７記載のサーバ装置。
【請求項２４】
前記情報処理手段は、前記通信端末装置からのリンクアドレスからコード番号を判別して情報通知または要求のオプション追加内容を識別することを特徴とする請求項１７記載のサーバ装置。
【請求項２５】
前記通信端末装置へ前記放送チャンネルに対応する情報提供サーバアドレスを提供することを特徴とする請求項１７記載のサーバ装置。
【請求項２６】
前記放送番組の内容に連動する情報が別途データ放送により提供されているとき、前記データ放送による提供内容に本装置の提供内容を連携させることを特徴とする請求項１７記載のサーバ装置。
【発明の詳細な説明】
【０００１】
【発明の属する技術分野】
本発明は、放送が持つ一定同報性（マスメディア）とインターネットなど通信メディアが持つ１対１の個別性（ワントゥーワンメディア）を組み合わせ、放送に連動した双方向サービスを実現する双方向サービス提供システムと、このシステムに用いるサーバ装置及び通信端末装置に関する。
【０００２】
【従来の技術】
現在の放送システムには、電波により一斉同報配信を行うものから、ＣＡＴＶ等の有線放送、インターネットを用いたマルチキャスト放送まで多岐に渡る。いずれの放送システムも、放送局や送出サーバから番組を送り、受信端末装置側で放送局または送出サーバから送られてくる番組（コンテンツ）を受動的に取り込む、いわゆるプッシュ型が基本的な形態となっている。
【０００３】
一方、インターネットなどで見られる一般的なモデルでは、利用者が任意の条件設定を行うか、または関連する情報間のリンクを意図して辿っていくことで、目的のコンテンツに到達する。このモデルは、前述のプッシュ型に対比してプル型と呼ばれている。
【０００４】
放送の持つプッシュ型は、インターネットなどのプル型にない特長を持つ。すなわち、利用者が能動的に条件設定入力を行う、リンクを辿るといった一連の操作を行わなくても、番組はプッシュで送られてくるので、番組に対して、決められた範囲内で応答を返却させることで、送り手側が期待している応答情報を得ることが可能となる。
【０００５】
このような特長を活かし、放送システムにおいては、単に番組の提供のみならず、視聴者と番組提供者との間で放送番組の内容に関連した情報の相互通信が行える双方向サービスモデルが提案され、一部データ放送を利用して実施されている。そのモデルの具体例として、視聴者参加型クイズ番組で、視聴者が提示された問題の解答を返却し、番組内で正解率を紹介する、スポーツ番組で、視聴者が出場選手のプロフィール情報を要求し、番組提供者側でその要求に対応する情報を個別に提供するといったサービスが行われている。
【０００６】
ところで、上記データ放送は、放送のデジタル化に際し、放送帯域の一部にデータ帯域を設けて、放送番組そのものと同時にサービスデータを配信するもので、双方向サービスを行う場合、データ帯域に放送番組の内容に対する応答を発生させるためのプログラムを埋め込むようにしている。このため、受信端末装置には、番組そのものを受信する機能とは別にデータ放送を受信する機能を持ち、それぞれを同時に受信して再生処理を行うことができ、データ放送配信プログラムを実行可能とする、データ放送対応のものでなければならない。
【０００７】
このように、従来のデータ放送による双方向サービス提供システムでは、応答発生を行うために、番組送出設備にデータ放送によるプログラム配信機能を持たせる必要があり、受信端末装置側にもデータ放送を受け付けて処理する仕組みが不可欠であった。また、データ放送はデジタル放送の特性を活かした機能であり、アナログ放送には対応していない。アナログ放送では、放送帯域の一部の空き帯域を利用して、そこにデータを埋め込むといった簡易的なデータ放送が実施されているが、そのデータ量はごく少量でかつ低レートであり、提供できる情報量も少なく、十分なサービスを実施することが難しかった。
【０００８】
尚、データ放送を利用しない双方向サービス提供システムの提案として、データ放送設備を有しない放送事業者でもデータ放送内容を受信端末装置に伝送する手法が出されている（例えば、特許文献１参照）。この手法は、デジタル放送仕様に定義されるサービスＩＤと放送番組との対応テーブルを用いて、放送局送信用コンピュータにサービス情報を要求するといったものである。この手法は、あくまでもデジタル放送が前提とされ、受信端末装置には相応の機能が用意されていなければならない。
【０００９】
また、放送信号に多重化されたリンク情報を用いて、インターネットにおける取引を容易に行えるようにしたシステムが提案されている（例えば、特許文献２参照）。このシステムでは、双方向サービスを実現しているものの、放送信号中にリンク情報を多重する必要があり、放送設備側に対応する機能が用意されていなければならない。
【００１０】
また、テレビジョン放送等に多重化されたコンテンツ情報、例えばインターネット上のコンテンツ情報またはこれに関連するコンテンツ情報を映像表示する情報伝送表示方法及び表示装置に関し、特に本放送の内容に連動して対応するコンテンツ情報等を表示できるようにした提案がある（例えば特許文献３参照）。この提案は、双方向サービスを実現するものではなく、本放送の内容に連動する情報を端末装置側に伝送可能とするものであって、放送信号に連動情報を多重する必要があり、やはり放送側の設備に対応する機能が用意されていなければならない。
【００１１】
【特許文献１】
特開２００１−３５８６７８号公報
【００１２】
【特許文献２】
特開平１１−０５３４４１号公報
【００１３】
【特許文献３】
特許第３３１０９０３号公報
【００１４】
【発明が解決しようとする課題】
本発明は、上記の事情に鑑みてなされたもので、種々の放送形態で、データ放送によらず、放送番組の内容に連動した双方向サービスを容易に実現することのできる双方向サービス提供システムと、このシステムを実現するための通信端末装置及びサーバ装置を提供することを目的とする。
【００１５】
【課題を解決するための手段】
上記の課題を解決するために、本発明に係る双方向サービス提供システムは、ネットワークを通じて通信端末装置からサーバ装置をアクセス可能とし、前記サーバ装置と通信端末装置との間で、所定の放送チャンネルでの放送番組の内容に連動した情報の送受を行うシステムであって、前記通信端末装置は、チャンネル番号の選択により前記放送チャンネルを選局し、標準装備のハードウェアまたはソフトウェアによる実装ボタンの操作により当該実装ボタンに割り当てられているコード番号を入力し、前記選択されたチャンネル番号及び前記入力されたボタンコード番号から前記サーバ装置内のリンクアドレスを生成し、前記サーバ装置にアクセスして前記リンクアドレスを通知し、当該サーバ装置からの提供情報を受け取って提示するものとし、前記サーバ装置は、前記放送番組の内容に連動した前記通信端末装置への提供情報が与えられ、それぞれ放送チャンネルのチャンネル番号及び前記通信端末装置の実装ボタンに割り当てられるボタンコード番号に対応付けてデータベースに登録し、前記通信端末装置からのアクセスに応答し、前記通信端末装置から通知されるリンクアドレスを受け取って当該リンクアドレスから前記チャンネル番号及びボタンコード番号を判別し、この判別された番号に対応する提供情報を前記データベースから読み出してアクセス元の通信端末装置に送るものとし、前記通信端末装置側で、前記放送番組内で案内される指示または予め決められた操作手順に従って前記実装ボタンを操作することで、自動的に前記サーバ装置にアクセスして放送番組の内容に連動した情報を通知または要求し、アクセス先のサーバ装置から要求した情報の提供を受けられることを特徴とする。
【００１６】
上記システム構成において、通信端末装置側では、視聴中に所定のボタン操作を行うことで、視聴中の放送チャンネルのチャンネル番号、前記ボタン操作による入力コード番号からサーバ装置内のリンクアドレスを自動的に生成し、サーバ装置にアクセスしてリンクアドレスを送る。一方、サーバ装置側では、通信端末装置から送られてくるリンクアドレスからチャンネル番号及びコード番号を判別し、これらの番号に対応付けられた放送番組の連動情報の提供を行う。これにより、データ放送を利用せずに、通信端末装置側の簡単なボタン操作だけでサーバ装置との相互通信が行うことができるようになり、プッシュ型の放送サービスに双方向情報提供サービスを効果的に連係させることが可能となる。
【００１７】
【発明の実施の形態】
以下、図面を参照して本発明の実施の形態を詳細に説明する。
【００１８】
［第１の実施形態］
図１は本発明に係る双方向サービス提供システムの第１の実施形態の構成を示すブロック図である。このシステムでは、放送の種別は問わず、アナログＴＶ放送、デジタルＴＶ放送、ＣＡＴＶ放送、インターネットを用いたマルチキャスト放送等で利用可能である。また、ＴＶ放送に限らず、ＡＭ／ＦＭ放送等のラジオ放送等でも利用可能である。
【００１９】
図１に示すシステムは、放送信号を送出する放送局Ａ、放送局Ａからの放送信号を受信する放送受信端末装置Ｂ、放送局Ａと連係して放送番組に関連する情報を提供する放送局サーバＣで構成される。
【００２０】
（放送局Ａ）
上記放送局Ａは、予め番組収録サーバＡ１に放送番組で提供する映像信号、音声信号、付加データからなるコンテンツファイル（以下、放送コンテンツ）を蓄積しておき、番組送出装置Ａ２により、番組収録サーバＡ１からオンエアスケジュールに従って番組コンテンツを読み出す。そして、送信装置Ａ３により、読み出した番組コンテンツを所定フォーマットの放送信号に変換し、予め割り当てられた放送チャンネルで送出する。
【００２１】
ここで、例えば付加データとして、別途ネットワーク上の放送局サーバＣに、放送中の番組に関連した情報があることを示す“ｄ”マークを挿入しておく。この情報は、データ放送として送られるのみならず、実際の番組中に映像の一部として表示されたり、場合によっては番組の出演者が音声によって説明するような方法もある。
【００２２】
（放送受信端末装置Ｂ）
上記放送受信端末装置Ｂにおいて、入力部Ｂ１は各種操作ボタンを備え、ボタン操作により、予め割り当てられたコード番号を入力する。制御部Ｂ２は、ボタン操作による入力コード番号に基づいて以下の各種制御処理を行う。
【００２３】
放送受信モードでは、受信部Ｂ３でユーザのチャンネル番号指定により放送チャンネルを選局して放送信号を取得し、信号処理部Ｂ４で放送信号から放送コンテンツを抽出し、映像信号、音声信号、付加データを分離する。このうち、映像信号、音声信号は、後述の合成処理部Ｂ５を介して、再生処理部Ｂ６に供給され、映像信号はディスプレイ表示され、音声信号は拡声出力される。信号処理部Ｂ３で分離された付加データは、データ処理部Ｂ７で映像または音声信号に変換され、合成処理部Ｂ５にて、信号処理部Ｂ３で分離された映像または音声信号と適宜合成される。
【００２４】
ここで、付加データとして“ｄ”マークが挿入されている場合には、映像信号再生時に“ｄ”マークを合成して表示させ、受信中の番組に関連する情報が存在することをユーザに提示する。または映像の一部として付加データの存在が表示されたり音声によって説明されている場合は、そのまま視聴者の操作を促す。
【００２５】
上記放送受信端末装置Ｂは、例えば時間シフト再生を可能とするための放送信号格納部Ｂ８を備え、ユーザからの記録指示により受信部Ｂ３で得た放送信号を放送信号格納部Ｂ８に格納し（いわゆる録画処理）、ユーザの再生要求に応じて放送信号格納部Ｂ８から所定の放送信号を読み出し、信号処理部Ｂ４に入力する。以後の処理は、通常の受信再生の場合と同様である。
【００２６】
また、この放送受信端末装置Ｂは、公衆回線網または無線ＬＡＮ等のネットワークを通じて任意のサーバにアクセスし、双方向通信を可能とする通信部Ｂ９を備える。アクセス先のサーバアドレス（ＵＲＬ）は、予め放送チャンネルごとに番組別にまとめられ、ＵＲＬファイルとしてＵＲＬファイル格納部Ｂ１０に格納される。ＵＲＬファイル自体は、所定のサーバからダウンロードするオンライン処理、あるいは例えばコンビニエンスストア等でＵＲＬファイル記録媒体を購入する等のオフライン処理によって取得可能とし、ユーザの指示によるインストール、あるいは定期的なダウンロード設定による自動インストールが可能であるものとする。
【００２７】
上記制御部Ｂ２は、視聴番組の内容に連動する情報の双方向サービスを受けるためのボタン操作入力があった場合、受信中の放送チャンネルから対応するＵＲＬをＵＲＬファイル格納部Ｂ１０から読み出して通信部Ｂ９にセットする。そして、受信中の放送チャンネルのチャンネル番号と、ボタン操作による入力コード番号をＵＲＬのオプション部に追記し、リンクアドレスを生成する。通信部Ｂ９は、セットされたＵＲＬのサーバにアクセスし、リンクアドレスを、双方向コンテンツ（放送関連情報）のリクエスト、あるいは番組内での質問に対する応答データとして送出する。サーバから送られてくる提供情報は、制御部Ｂ２により適宜編集され、合成処理部Ｂ５により映像信号または音声信号の形式で再生出力される。
【００２８】
尚、放送受信端末装置Ｂとしては、通常の放送受信機の他、通信機能を持ったＰＤＡ、携帯電話機、カーナビゲーション装置にも適用可能である。また、放送受信機のリモートコントローラに組み込んでもよい。但し、放送チャンネルがＵＲＬ選択のキーポイントとなっているので、少なくとも放送チャンネルを選択指定する機能を備えている必要がある。
【００２９】
放送受信端末装置Ｂの具体例を図２に示す。この端末装置Ｂは、映像を表示するためのディスプレイＢ１１と、このディスプレイＢ１１の表示画面上に番組コンテンツ取得のためのメニューを表示させるためのメニューボタン（メニュー表示指示キー）Ｂ１２、番組表示中に放送関連情報がサーバに登録されていることを示す“ｄ”の表示が示されているとき、または映像の一部として付加データの存在が表示されたり音声によって説明されている場合にオン操作することにより、目的のサーバにアクセスするように指示するｄボタン（アクセス指示キー）Ｂ１３、赤、青、黄、緑で識別表示され、画面上の同一色の表示ボタンを選択するための４個の選択ボタンＢ１４、表示される選択画面において選択欄に画面上のカーソルを上下左右に移動させるためのカーソルキーＢ１５、選択決定を指示する決定ボタンＢ１６等を備えている。
【００３０】
（放送局サーバＣ）
上記放送局サーバＣは、放送局Ａに対応して設けられ（すなわち放送チャンネルに対応）、双方向用コンテンツデータベースＣ１、会員登録情報データベースＣ２、応答データファイルデータベースＣ４、通信部Ｃ５及び制御部Ｃ６を備える。双方向用コンテンツデータベースＣ１には、双方向用コンテンツファイルとして、予め放送局Ａから提供される放送番組それぞれに関連したコンテンツが格納される。このとき、各双方向用コンテンツには、チャンネル番号、所定のコード番号が対応付けられる。会員登録情報データベースＣ２には、双方向サービスの利用を希望して会員として認められた登録ユーザの情報が格納される。応答データ格納部Ｃ４には、端末装置Ｂからリンクアドレスから判別されるコード番号を番組中での質問事項に対する応答データとして登録する。この登録データは、適宜集計等の処理が施されて放送局Ａに通知される。通信部Ｃ５は、ネットワークを介して放送受信端末装置Ｂとの間で通信を行う機能を有する。制御部Ｃ６は、上記の各機能ブロックＣ１〜Ｃ５を総括的に制御するもので、放送受信端末装置Ｂからアクセス時に与えられるリンクアドレスからオプション部のチャンネル番号、コード番号を判別し、その判別結果に基づく情報処理を実行する。
【００３１】
上記構成によるシステムにおいて、以下に具体的な運用例をあげてその処理動作を説明する。
【００３２】
（設定登録）
図３は、双方向サービスを受けるために、ユーザが個人情報を設定登録するためのプロセスを示すフローチャートである。
【００３３】
まず、端末Ｂ側において、ユーザがメニューボタンＢ１２をオン操作すると、メニュー表示プログラムを起動し（Ｔ１１）、図４（ａ）に示すようなチャンネル別双方向サービスの設定選択画面を表示する（Ｔ１２）。ユーザがカーソルキーＢ１５の操作により任意のチャンネルを選択し、決定ボタンＢ１６をオン操作すると、ＵＲＬファイル格納部Ｂ１０から該当するチャンネルのＵＲＬファイルを抽出し、そのＵＲＬを通信部Ｂ９にセットして放送局サーバＣにアクセスし、ユーザ指定チャンネルの設定画面リクエストを送出する（Ｔ１３）。
【００３４】
放送局サーバＣでは、端末Ｂからの設定画面リクエストを受けると（Ｓ１１）、設定画面ファイルをリクエスト先の端末Ｂへ送信する（Ｓ１２）。
【００３５】
端末Ｂ側では、放送局サーバＣからの設定画面ファイルを受け取ると、例えば図４（ｂ）に示すように、サービス内容を提示してユーザに所望するサービスを選択してもらい（Ｔ１４）、選択されたサービスが会員登録を必要とする場合には、図４（ｃ）に示すような会員登録画面を表示して個人情報を入力してもらう（Ｔ１５）。尚、無料情報のように会員登録を要しない場合には、郵便番号、性別、生年月日のみを記入してもらうようにすると、後に放送番組、放送関連情報がどのようなユーザに視聴され利用されているかの解析に役立てることができる。このようなサービス設定、ユーザ設定が完了した時点で、設定情報を放送局サーバＣに送る。
【００３６】
放送局サーバＣでは、端末Ｂからの設定情報を受け取ると（Ｓ１３）、まず会員登録があるか判断し（Ｓ１４）、会員登録がある場合には会員ＩＤを発行し（Ｓ１５）、会員登録処理を実行して（Ｓ１６）、会員情報データベースＣ２に格納する。会員登録がなかった場合、あるいは会員登録処理が完了した場合には、ユーザが要望しているサービスのＵＲＬを抽出して（Ｓ１７）、要求元の端末Ｂに最新のＵＲＬファイルを、登録ＩＤがある場合にはこれを付して端末Ｂに通知する（Ｓ１８）。
【００３７】
端末Ｂでは、指定チャンネルのＵＲＬファイルを受信すると（Ｔ１６）、ＵＲＬファイル格納部Ｂ１０の格納ファイルを最新のものに書き換え（Ｔ１７）、プロセスの設定完了を表示する（Ｔ１８）。
【００３８】
（放送中の放送関連情報の取得）
図５は、上記設定登録により最新のＵＲＬファイルを取得した場合に、放送中の番組の関連情報を取得するためのプロセスを示すフローチャートである。
【００３９】
まず、放送局Ａにおいて、放送コンテンツが制作されると（Ｕ１１）、放送関連情報を双方向用コンテンツとして制作し、放送局サーバＣに送る（Ｕ１２）。
放送局サーバＣでは、放送局Ａから送られてくる双方向用コンテンツをデータベースＣ１に格納する。放送局Ａでは、上記放送コンテンツの放送の際に、双方向用コンテンツの存在を示す“ｄ”マークを付しておく（Ｕ１３）、または映像の一部として付加データの存在が表示されたり音声によって説明する。
【００４０】
端末Ｂにおいて、放送信号を受信し、再生表示させた状態では、図６（ａ）に示すように、“ｄ”マークが同時表示される（Ｔ２１）、または映像の一部として付加データの存在が表示されたり音声によって説明される。ここで、ユーザがｄボタンＢ１３をオン操作すると（Ｔ２２）、現在受信中のチャンネルを識別して、ＵＲＬファイル格納部Ｂ１０から選択チャンネルに対応するＵＲＬを抽出し（Ｔ２３）、このＵＲＬのオプション部にチャンネル番号、及びｄボタンＢ１３に割り当てられているコード番号をリンクアドレスとして付加し（Ｔ２４）、対象番組のＵＲＬリクエストとして放送局サーバＣに送る。
【００４１】
上記放送局サーバＣでは、端末ＢからＵＲＬリクエストを受けると（Ｓ２１）、サーバ受信時間を抽出し（Ｓ２２）、双方向用コンテンツデータベースＣ１から対象番組の双方向用コンテンツを抽出して（Ｓ２３）、リクエスト先の端末Ｂに送信する（Ｓ２４）。
【００４２】
上記端末Ｂでは、放送局サーバＣから双方向用コンテンツを受け取ると（Ｔ２６）、図６（ｂ）に示すように放送関連情報を受信番組と共にマルチウィンドウ形式で表示する（Ｔ２７）。
【００４３】
（放送中の番組で応答データの送信を要望している場合の対応）
双方向サービス提供モデルとして、クイズ番組等で視聴者の応答データ送信を要望する、またテレビショッピングで購入希望者を募るモデルがある。この場合、番組内で例えば「正しいと思う方は青のボタンを、間違っていると思う方は赤のボタンを押してください。」、「本日の商品の購入を希望される方は１のボタン、商品の説明を受けたい方は２のボタン、購入の仕方について知りたい方は３のボタンを押してください。」というようなガイダンスのメッセージがアナウンスまたはテロップ等で通知される。視聴者が端末Ｂにガイダンス内容に従ってボタン操作を行うと、端末Ｂでは、視聴中のチャンネル番号、ボタン操作によって得られるコード番号からリンクアドレスが生成され、放送局サーバＣへのアクセス時に送信される。
【００４４】
例えば、サーバアドレスが「ｈｔｔｐ：／／ｗｗｗ．ｄｅｋｒｕ．ｔｖ／ｍｂｃｏ／」であり、チャンネル番号が「２０」で３のボタン（割り当てコード番号＝３）が押された場合、リンクアドレスは「ｈｔｔｐ：／／ｗｗｗ．ｄｅｋｒｕ．ｔｖ／ｍｂｃｏ／？ｃｈ＝２０＆ｂｔｎ＝３」のようになる。
【００４５】
このリンクアドレスを受けた放送局サーバＣは、リンクアドレスからチャンネル番号、コード番号を判別し、この判別結果から番組を特定し、操作指示の応答が「３」であることを認識し、応答データファイルデータベースＣ３に格納する。このとき、会員データベースＣ２を参照して発信元のユーザアドレスから会員か否かを判断し、会員である場合のみ受け付けるようにしてもよい。応答データは適宜統計等の編集処理が施されて放送局Ａや流通業者等に通知される。
【００４６】
（蓄積番組の対応）
図７は、端末Ｂで放送番組を受信・録画し、実際の放送時刻とはずれたタイミングで放送関連情報を取得する場合のプロセスを示すフローチャートである。
【００４７】
放送局Ａ側の処理は、図５の場合と同様である。このため、図７において、図５と同一部分には同一符号を付して示し、重複する説明を省略する。
【００４８】
端末Ｂでは、放送信号を受信・録画する場合（Ｔ３１）、コンテンツ録画チャンネル番号、録画開始時間の情報を付加して録画コンテンツファイルを作成し、放送信号格納部Ｂ８に格納する（Ｔ３３）。録画再生を行い（Ｔ３４）、図６（ａ）に示すような“ｄ”マーク表示の番組が表示されたとき、または映像の一部として付加データの存在が表示されたり音声によって説明されたとき、ユーザがｄボタンＢ１３をオン操作すると（Ｔ３５）、再生中のコンテンツに付加されている録画チャンネル番号から選択チャンネルを判別し、ＵＲＬファイル格納部Ｂ１０から該当チャンネルのＵＲＬファイルを抽出する（Ｔ３６）。さらに、ＵＲＬオプションとして、選択ボタン情報（ボタンコード番号＋ｄボタン押下の相対時間）を付加し（Ｔ３７）、対象番組のＵＲＬリクエストとして放送局サーバＣに送る（Ｔ３８）。
【００４９】
放送局サーバＣでは、端末ＢからＵＲＬリクエストを受けると（Ｓ３１）、ＵＲＬオプションからボタン押下時間を抽出し（Ｓ３２）、双方向用コンテンツデータベースＣ１から該当時間における対象番組の双方向用コンテンツを抽出し（Ｓ３３）、リクエスト先の端末Ｂに対象双方向コンテンツを送信する（Ｓ３４）。
【００５０】
端末Ｂでは、放送局サーバＣからリクエストした対象番組の双方向コンテンツを受け取ると（Ｔ３９）、図６（ｂ）に示すように放送関連情報を再生番組と共にマルチウィンドウ形式で表示する（Ｔ４０）。
【００５１】
以上説明したように、本実施形態のシステムによれば、放送局Ａ側では、放送信号と共に放送関連情報を流さなくても、ネットワーク上の放送局サーバＣで放送関連情報を番組と連動して提供することができる。また、端末Ｂ側では、受信中の番組で、放送関連情報を視聴したくなった時点で、単にｄボタンを押下するだけで自動的に放送局サーバＣにアクセスし、所望の放送関連情報を取得し、放送番組と並行して再生表示することができる。また、端末Ｂで、番組内で指示されるボタンを操作するだけで、応答データを放送局サーバＣにリンクアドレスの形式で通知することができ、放送局サーバＣ側でリンクアドレスから応答データを識別することができる。
【００５２】
尚、上記実施形態では、放送局ごとに放送局サーバを設けた場合のシステム構成について説明したが、複数の放送局で放送局サーバを共有するようにしてもよい。図８に複数の放送局で放送局サーバを共有した場合の、運用プロセスのフローチャートを示す。ここでは、先の放送局サーバと区別するため、共通サーバと称し、それぞれの参照符号は図５の場合と同一の符号を付して示す。
【００５３】
図８において、まず、端末Ｆでは、設定登録時にＵＲＬファイル格納部Ｂ１０に共通サーバＵＲＬファイルを格納するものとする。放送信号受信時にｄボタンが押下された場合（Ｔ２１〜Ｔ２２）、ＵＲＬファイル格納部Ｂ１０から共通サーバＵＲＬを抽出し（Ｔ２３′）、ＵＲＬオプションに選択チャンネル及び選択ボタン情報を付加してリンクアドレスを生成し（Ｔ２４′）、対象ＵＲＬ画面リクエストとして共通サーバＣに送出する。共通サーバＣでは、リクエストを受け取ると、そのサーバ受信時間を抽出し（Ｓ２１〜Ｓ２２）、その受信時間における対象チャンネルの双方向用コンテンツをデータベースＣ１から抽出し（Ｓ２３′）、抽出コンテンツをリクエスト先の端末Ｂに送信する（Ｓ２４）。端末Ｂでは、共通サーバＣからの双方向用コンテンツを受信した場合には（Ｔ２６）、放送中の番組と共に当該放送関連情報を適宜切り替え表示する（Ｔ２７）。
【００５４】
上記のようにシステムを構築することにより、各放送局Ａでは双方向コンテンツ配信のための設備が不要となり、それらの一元管理のもとで、受信通信端末装置Ｂでは所望のチャンネルの放送関連情報を簡単に取得することができる。
【００５５】
［第２の実施形態］
図９は本発明に係る双方向サービス提供システムの第２の実施形態の構成を示すブロック図である。このシステムでも、放送の種別は問わない。尚、図９において、図１と同一部分には同一符号を付して示し、ここでは重複する説明を省略する。
【００５６】
本システムでは、広告代理店Ｄにて制作された放送用ＣＭコンテンツ（ここでは放送番組の１つとする）を１以上の放送局Ａに提出し、各放送局Ａが所定の送出時刻にＣＭコンテンツを放送するモデルにおいて、広告代理店Ｄが各ＣＭコンテンツに関連する情報を双方向用ＣＭコンテンツとして放送局サーバＣに渡し、サーバＣにて放送受信端末装置Ｂに双方向用コンテンツの提供を行うケースを想定している。
【００５７】
上記構成によるシステムにおいて、以下に具体的な運用例をあげてその処理動作を説明する。
【００５８】
（設定登録）
図１０は、ＣＭ双方向サービスを受けるために、ユーザが設定登録するためのプロセスを示すフローチャートである。
【００５９】
まず、放送局Ａでは、広告代理店Ｄにて作成されるＣＭコンテンツ（Ｕ２１）を受け取り、所定の日時に放送する（Ｕ２３）。このとき、ＣＭコンテンツと並行して作成される双方向用ＣＭコンテンツ（Ｕ２２）を放送局サーバＣに渡し、双方向用コンテンツデータベースＣ１に登録させる。
【００６０】
端末Ｂにおいて、放送受信時に、図１１（ａ）に示すような“ｄ”マーク表示、または映像の一部として付加データの存在が表示されたり音声によって説明されるＣＭコンテンツが表示され（Ｔ４１）、ユーザがｄボタンＢ１３をオン操作すると（Ｔ４２）、現在受信中のチャンネルを識別して、ＵＲＬファイル格納部Ｂ１０から選択チャンネルのＵＲＬファイルを抽出し（Ｔ４３）、このＵＲＬファイルにチャンネル番号、選択ボタンのコード番号によるオプション選択情報を付加してリンクアドレスを生成し（Ｔ４４）、対象ＣＭ番組のＵＲＬリクエストとして放送局サーバＣに送る。このとき、ＵＲＬに含まれる情報としては、ボタン選択時間があり、サービス設定登録が済んでいない場合には、郵便番号、性別コード、生年月日等の情報を含めるものとする（Ｔ４６）。
【００６１】
上記放送局サーバＣでは、端末ＢからＵＲＬリクエストを受けると（Ｓ４１）、双方向用コンテンツデータベースＣ１から対象ＣＭ番組の双方向用ＣＭコンテンツを抽出して（Ｓ４２）、リクエスト先の端末Ｂに送信する（Ｓ４３）。
【００６２】
上記端末Ｂでは、放送局サーバＣから双方向用ＣＭコンテンツを受け取ると（Ｔ４７）、図１１（ｂ）または図１１（ｃ）に示すような放送関連情報を受信番組と切り替えて表示する（Ｔ４８）。ここで、図１１（ｂ）は第１ローカルコンテンツ、図１１（ｃ）は第２ローカルコンテンツ（第１ローカルコンテンツの一部差し替え）、図１１（ｄ）は共通コンテンツの表示例を示している。これらは、ユーザ登録情報に含まれる郵便番号を元にコンテンツを切り替えることで実現される。例えば郵便番号１０５の場合は第１ローカルコンテンツ（浜松町店編）、１６０〜１６２の場合は第２ローカルコンテンツ（新宿店編）、それ以外＋郵便番号なしの場合は共通コンテンツを表示するように、サーバＣ側で適宜コンテンツを選択する。
【００６３】
上記構成によれば、全国放送であっても、ＣＭコンテンツの付加情報として、ローカルな情報を双方向サービスとして提供することが可能となる。
【００６４】
［第３の実施形態］
図１２は本発明に係る双方向サービス提供システムの第３の実施形態の構成を示すブロック図である。このシステムでも、放送の種別は問わない。尚、図１２において、図９と同一部分には同一符号を付して示し、ここでは重複する説明を省略する。
【００６５】
本システムでは、第２の実施形態と同様に、広告代理店Ｄにて制作された放送用ＣＭコンテンツ（ここでは放送番組の１つとする）を１以上の放送局Ａに提出し、各放送局Ａが所定の送出時刻にＣＭコンテンツを放送するモデルにおいて、広告代理店Ｄが各ＣＭコンテンツに関連する情報を双方向用ＣＭコンテンツとして放送局サーバＣに渡し、このサーバＣにて双方向用ＣＭコンテンツの提供を行うケースを想定している。
【００６６】
但し、本実施形態では、通信端末装置の一例として、ここではテレビＦのリモコン機能を搭載した携帯電話機Ｇを用い、この携帯電話機Ｇでテレビチャンネルを選択した場合に、自動的にサーバＣから双方向用コンテンツを取得し、適宜再生処理を行うものとする。
【００６７】
図１２において、放送局Ａの構成は図１の場合と同様である。テレビＦは、リモコンとしての携帯受信機Ｇからの選局指示により、放送信号を選局し、適宜再生処理する。携帯電話機Ｇは、図１に示した端末Ｂの放送受信処理部分を除く構成であり、入力部Ｇ１、制御部Ｇ２、データ処理部Ｇ３、ＵＲＬファイル格納部Ｇ４、再生処理部Ｇ５、通信部Ｇ６に加え、テレビＦをリモートコントロールするための赤外線伝送部Ｇ７を備える。ＵＲＬファイル格納部Ｇ４には、チャンネル別ＵＲＬファイルとして、予めＣＭコンテンツ用のＵＲＬファイルが含まれるものとする。また、制御部Ｇ２は、Ｊａｖａ等のスクリプトファイルを実行可能とする。放送局サーバＣは、図９に示した放送局サーバと同様である。
【００６８】
上記構成によるシステムにおいて、以下に具体的な運用例をあげてその処理動作を説明する。
【００６９】
（設定登録）
図１３は、ＣＭ双方向サービスを受けるためのプロセスを示すフローチャートである。尚、図１３において、図１０と同一部分には同一符号を付して示し、ここでは重複する説明を省略する。
【００７０】
まず、放送局Ａでは、広告代理店Ｄにて作成されるＣＭコンテンツ（Ｕ２１）を受け取り、所定の日時に放送する（Ｕ２３）。このとき、ＣＭコンテンツと並行して作成される双方向用ＣＭコンテンツ（Ｕ２２）を放送局サーバＣに渡し、双方向用コンテンツデータベースＣ１に登録させる。但し、ＣＭコンテンツファイルには、放映日時を示すタイムコードを付加し、その時刻に端末Ｆにて自動的にＣＭコンテンツを起動するＪａｖａ等のスクリプトを含めておく（Ｕ２４）。
【００７１】
端末側において、携帯電話機Ｇにてチャンネル選択がなされると（Ｘ１１）、テレビＦでは選択チャンネルの受信、番組視聴状態となる（Ｙ１１）。このとき、携帯電話機Ｇでは、ＵＲＬファイル格納部Ｇ４から選択チャンネルのＵＲＬファイルを抽出し（Ｘ１２）、ＵＲＬオプションとしてチャンネル番号、選択ボタンのコード番号を付加してリンクアドレスを生成し（Ｘ１３）、対象ＣＭのＵＲＬリクエストとしてネットワーク上の放送局サーバＣに送出する（Ｘ１４）。このとき、ＵＲＬに含まれる情報として、ボタン選択時間の他、郵便番号、性別コード、生年月日が含まれるものとする（Ｘ１５）。
【００７２】
放送局サーバＣでは、携帯電話機ＧからのＣＭ情報リクエストを受けると（Ｓ５１）、双方向コンテンツデータベースＣ１から対象とする双方向用ＣＭコンテンツファイルを抽出し（Ｓ５２）、抽出コンテンツをリクエスト先の携帯電話機Ｇに送信する（Ｓ５３）。
【００７３】
携帯電話機Ｇでは、放送局サーバＣからの双方向用ＣＭコンテンツファイルを受け取ると（Ｘ１６）、このＣＭコンテンツファイルをいったん蓄積しておく（Ｘ１７）。このファイルには、前述のように、タイムコード、自動起動用のスクリプト（Ｊａｖａ等）が含まれている。このため、携帯電話機Ｇでは、タイムコードと現在時間とが一致した時点でＣＭコンテンツファイルを自動的に起動し（Ｘ１８）、双方向用ＣＭコンテンツを画面に表示する（Ｘ１９）。このとき、テレビＦでは、対象ＣＭが同期して表示される（Ｙ１２）。この時点のテレビＦの表示例を図１４（ａ）に示し、携帯電話機Ｇの表示例を図１４（ｂ）に示す。携帯電話機Ｇでは、一定時間経過後、ＣＭコンテンツファイルを削除処理する（Ｘ２０）。
【００７４】
以上のように、上記のシステム構成によれば、ＴＶリモコン機能を備える携帯電話機を利用することで、ＴＶによる放送ＣＭ番組と連動しつつ、その詳細情報を携帯電話機上で取得表示することができる。このことは、実際に放送ＣＭ番組を視聴していなくても、該当ＣＭの情報を取得することができ、例えば外出先で所望のローカル情報を確認できるといった利便性が得られる。
【００７５】
尚、上記実施形態では、放送関連情報の送信時に、通信端末装置（携帯電話機）側で所定時刻に自動起動して提示させるスクリプトを含めるようにしたが、予めサーバ装置から通信端末装置に放送関連情報を送って蓄積させておき、所定時刻に、サーバ装置から通信端末装置に放送関連情報を自動提示させるスクリプトを送るようにしても、同様に実施可能である。
【００７６】
その他、本発明は上記実施形態に限定されるものではなく、システム構成、端末、サーバいずれも種々の変形が可能である。例えば、設定登録時のガイダンスは、放送局またはサーバ装置から送ってもよいが、予め通信端末装置側にプリセットしておくようにしてもよい。
【００７７】
また、別途デジタル放送でデータ放送による双方向サービスが実施されている場合には、データ放送コンテンツとの互換性を保つため、サーバ装置側の提供コンテンツをデータ放送コンテンツと連携させておくことが望ましい。
【００７８】
また、受信地域によっては、チャンネル番号の割り当てが異なるので、移動体受信の場合には、移動体搭載受信端末装置において、例えばＧＰＳによる位置情報から受信地域を識別し、該当するチャンネル番号を地域に合わせて変更する機能を搭載しておくとよい。あるいは、サーバ装置側に、端末情報に含まれる地域情報からチャンネル番号を適宜変換する機能を持たせるようにしてもよい。
【００７９】
また、第２、第３の実施形態では、広告代理店が中間に介在する場合について説明したが、インターネットプロバイダ等が直接行う場合でも同様に実施可能である。
【００８０】
【発明の効果】
以上のように本発明によれば、種々の放送形態で、データ放送によらず、放送番組の内容に連動した双方向サービスを容易に実現することができ、これによってプッシュ型の放送サービスに双方向情報提供サービスを効果的に連係させることのできる双方向サービス提供システムと、このシステムを実現するための通信端末装置及びサーバ装置を提供することができる。
【図面の簡単な説明】
【図１】本発明に係る双方向サービス提供システムの第１の実施形態の構成を示すブロック図。
【図２】第１の実施形態の放送受信端末装置の具体的な構成を示すブロック図。
【図３】第１の実施形態において、双方向サービスを受けるために、ユーザが設定登録するためのプロセスを示すフローチャート。
【図４】図３に示すユーザ設定登録の際の設定画面例を示す図。
【図５】図３に示す設定登録により最新のＵＲＬファイルを取得した場合に、放送中の番組の関連情報を取得するためのプロセスを示すフローチャート。
【図６】図５に示す放送関連情報を取得する場合の表示画面例を示す図。
【図７】第１の実施形態において、端末で放送番組を受信・録画し、実際の放送時刻とはずれたタイミングで放送関連情報を取得する場合のプロセスを示すフローチャート。
【図８】第１の実施形態において、複数の放送局で放送局サーバを共有した場合の運用プロセスを示すフローチャート。
【図９】本発明に係る双方向サービス提供システムの第２の実施形態の構成を示すブロック図。
【図１０】第２の実施形態において、ＣＭ双方向サービスを受けるために、ユーザが設定登録するためのプロセスを示すフローチャート。
【図１１】図１０に示すＣＭ関連情報を取得する場合の表示画面例を示す図。
【図１２】本発明に係る双方向サービス提供システムの第３の実施形態の構成を示すブロック図。
【図１３】第３の実施形態において、ＣＭ双方向サービスを受けるためのプロセスを示すフローチャート。
【図１４】第３の実施形態でＣＭ双方向サービスを受けている様子を示す概念図。
【符号の説明】
Ａ…放送局、Ａ１…番組収録サーバ、Ａ２…番組送出装置、Ａ３…送信装置、Ｂ…放送受信端末装置、Ｂ１…入力部、Ｂ２…制御部、Ｂ３…受信部、Ｂ４…信号処理部、Ｂ５…合成処理部、Ｂ６…再生処理部、Ｂ７…データ処理部、Ｂ８…放送信号格納部、Ｂ９…通信部、Ｂ１０…ＵＲＬファイル格納部、
Ｃ…放送局サーバ、Ｃ１…双方向用コンテンツデータベース、Ｃ２…会員登録情報データベース、Ｃ４…応答データファイルデータベース、Ｃ５…通信部、Ｃ６…制御部、
Ｄ…広告代理店、
Ｆ…テレビ、
Ｇ…携帯電話機、Ｇ１…入力部、Ｇ２…制御部、Ｇ３…データ処理部、Ｇ４…ＵＲＬファイル格納部、Ｇ５…再生処理部、Ｇ６…通信部、Ｇ７…赤外線伝送部。
【図１】
2004193681.tif 000003
【図２】
2004193681.tif 000004
【図３】
2004193681.tif 000005
【図４】
2004193681.tif 000006
【図５】
2004193681.tif 000007
【図６】
2004193681.tif 000008
【図７】
2004193681.tif 000009
【図８】
2004193681.tif 000010
【図９】
2004193681.tif 000011
【図１０】
2004193681.tif 000012
【図１１】
2004193681.tif 000013
【図１２】
2004193681.tif 000014
【図１３】
2004193681.tif 000015
【図１４】
2004193681.tif 000016